(57)【要約】【課題】保守員の作為的な配線の操作による現金収納部からの現金の出金を防止し、あるいは、紙幣入出金機の保守を行う際の立ち会いなどの行員の負担を軽減する。【解決手段】紙幣入出金機１０は、保守員が自由にアクセスできる金庫外領域１００と保守員の自由なアクセスが制限される収納領域２００とを有する。保守時には、搬送制限プログラム１３０が実行され、金庫２８０内から金庫２８０外への紙幣の搬送が制限される。さらに、収納領域２００内に配置され、紙幣の搬送制限を解除するための搬送制限解除スイッチ２４４と、ＣＰＵ２０２とＣＰＵ１０２との間で搬送制限を解除するためのコマンドを伝える通信インターフェースを備え、ＣＰＵ２０２からＣＰＵ１０２への通信は、コマンドの送受信により行われる。【選択図】図２
2008077318.tif 000002
【特許請求の範囲】
【請求項１】
紙葉類の入出金を取り扱う紙葉類入出金装置であって、
内部へのアクセスが制限される収納部と、
前記収納部内に配置される紙葉類収納部と、
前記収納部外に配置され、前記紙葉類入出金装置の動作を制御する制御手段であって、保守時に紙葉類の搬送を制限する制限手段を有する制御手段とを備える紙葉類入出金装置。
【請求項２】
請求項１に記載の紙葉類入出金装置において、
前記制限される搬送は、前記収納部の中から前記収納部の外への紙葉類の搬送である紙葉類入出金装置。
【請求項３】
請求項１または請求項２に記載に紙幣入出金装置において、さらに、
前記収納部内に配置され、前記紙葉類の搬送制限を解除するための解除手段と、
前記制御手段と前記解除手段との間で前記搬送制限を解除するための通信を実行する通信手段とを備える紙葉類入出金装置。
【請求項４】
請求項３に記載の紙葉類入出金装置において、前記通信手段は、前記通信をコマンドの送受信により行う、紙葉類入出金装置。
【請求項５】
請求項３または請求項４に記載の紙葉類入出金装置において、
前記解除手段は、保守時の紙葉類の搬送制限について、保守終了後に、搬送制限の解除を停止して搬送制限にセットする紙葉類入出金装置。
【請求項６】
請求項３から請求項５のいずれか一項に記載の紙葉類入出金装置において、さらに、
前記解除手段による搬送制限の解除を無効とする無効手段を備える、紙葉類入出金装置。
【請求項７】
請求項６に記載の紙葉類入出金装置において、さらに、
紙葉類入出金装置を管理する管理サーバと通信するための外部通信手段を備え、
前記無効手段は、前記管理サーバから前記通信手段を介して受信する命令に基づいて前記解除手段による搬送制限の解除を有効とし、あるいは、無効とする、紙葉類入出金装置。
【発明の詳細な説明】
【技術分野】
【０００１】
本発明は、金融機関の現金自動預け払い機や行員向けの紙幣入出金機などの紙葉類の入出金機に関するものである。
【背景技術】
【０００２】
紙幣入出金機の保守作業において、保守員は、例えば、センサの状態確認やアクチュエータの動作確認のほか、現金収納部内の現金の入出金テストを行う。従来の紙幣入出金機では、保守モードへの変更について、行員が管理するキーにて一括管理していたため、センサの状態確認作業やアクチュエータの動作確認作業などの現金収容部内の現金を取り扱わない保守作業であっても、行員の立ち会いが必要となっていた。これに対し、ＩＤカードを読み取る手段と電磁ロック解除手段により紙幣入出金機のアクセスできる領域を区別する技術が知られている（特許文献１）。
【０００３】
【特許文献１】特開平５−１２８３４６号公報
【発明の開示】
【発明が解決しようとする課題】
【０００４】
しかし、ＩＤカードによりアクセスできる領域が区別されたとしても、保守員は、現金収納部外に設けられている保守用の操作パネルを操作して保守作業を行う。そのため、例えば、知識のある保守員が保守用の操作パネルからの配線を作為的に操作することにより、現金収納部内から現金を出金させることが可能となる恐れがあった。したがって、センサの状態確認やアクチュエータの動作確認などの現金収納部内の現金の入出金を伴わない保守作業であっても同様に行員の立ち会いは不可欠であり、行員の負担を軽減することは難しかった。
【０００５】
本発明は、上記課題の少なくとも一つを解決するためになされたものであり、保守時における現金収納部からの現金の出金の防止、保守時における行員の負担の軽減を目的とする。
【課題を解決するための手段】
【０００６】
上記課題を解決するために、本発明に係る紙葉類入出金装置は、紙葉類の入出金を取り扱う紙葉類入出金装置であって、内部へのアクセスが制限される収納部と、前記収納部内に配置される紙葉類収納部と、前記収納部外に配置され、前記紙葉類入出金装置の動作を制御する制御手段であって、保守時に紙葉類の搬送を制限する制限手段を有する制御手段とを備える。本発明に係る紙葉類入出金装置によれば、保守時には、紙葉類の搬送が制限されるので、保守時に紙葉類を入手することが抑制される。
【０００７】
本発明に係る紙葉類入出金装置において、前記制限される搬送は、前記収納部の中から前記収納部の外への紙葉類の搬送であってもよい。本発明に係る紙葉類入出金装置によれば、保守時には収納部の中から前記収納部の外への紙葉類の搬送が制限されるので、保守時に収納部内にある紙葉類を入手することを抑制できる。
【０００８】
本発明に係る紙葉類入出金装置は、さらに、前記収納部内に配置され、前記紙葉類の搬送制限を解除するための解除手段と、前記制御手段と前記解除手段との間で前記搬送制限を解除するための通信を実行する通信手段とを備えてもよい。本発明に係る紙葉類入出金装置によれば、行員は、保守員が紙葉類の搬送を伴う動作について保守作業を行う場合にのみ立ち会って収納部内にアクセスして紙葉類の搬送制限を解除すればよく、保守員が紙葉類の搬送を伴わない保守作業を行う場合には立ち会う必要がないので、行員の負担が軽減される。
【０００９】
本発明に係る紙葉類入出金装置において、前記通信手段は、前記通信をコマンドの送受信により行ってもよい。紙葉類の搬送制限の解除はコマンドの送受信により行われるので、例えば、知識のある保守員が作為的に配線の電位等を操作しても、紙葉類の搬送制限を解除することはできない。その結果、保守時に収納部内にある紙葉類を入手することが抑制される。
【００１０】
本発明に係る紙葉類入出金装置において、前記解除手段は、保守時の紙葉類の搬送制限について、保守終了後に、搬送制限の解除を停止して搬送制限にセットしてもよい。本発明に係る紙葉類入出金装置によれば、例えば、行員が保守作業終了時に搬送制限の解除の停止を忘れた場合においても、保守終了後には、搬送制限にセットされる。したがって、次回の保守時にはデフォルトで搬送制限状態になっているため、次回の保守時に収納部から紙葉類を入手することに対する安全性を高めることができる。
【００１１】
本発明に係る紙葉類入出金装置において、さらに、前記解除手段による搬送制限の解除を無効とする無効手段を備えてもよい。本発明に係る紙葉類入出金装置によれば、搬送制限の解除を無効とする無効手段を備えているので、解除手段を操作して搬送制限を解除しても搬送制限は維持される。その結果、例えば、行員が立ち会いできない状況で保守員が紙葉類収納部にアクセスして解除手段を操作できる状況が生じても、搬送制限の解除を抑制できる。したがって、保守時に収納部から紙葉類を入手することに対する安全性を高めることができる。
【００１２】
本発明に係る紙葉類入出金装置において、さらに、紙葉類入出金装置を管理する管理サーバと通信するための外部通信手段を備え、前記無効手段は、前記管理サーバから前記通信手段を介して受信する命令に基づいて前記解除手段による搬送制限の解除を有効とし、あるいは、無効としてもよい。本発明に係る紙葉類入手金装置によれば、搬送制限を解除するためには、解除手段により解除を設定した上で管理サーバからの命令により搬送制限の解除が有効にされる必要がある。したがって、例えば、保守員が紙葉類収納部にアクセスして解除手段を操作できる状況になっても、管理サーバからの制御により搬送制限の解除を抑制できる。その結果、保守時に紙葉類収納部から紙葉類を入手することに対する安全性を高めることができる。
【発明を実施するための最良の形態】
【００１３】
図１から図３を用いて本実施例に係る紙幣入出金機の構成について説明する。図１は、本実施例に係る紙幣入出金機１０を模式的に示す説明図である。図２は、本実施例に係る紙幣入出金機１０のブロック図である。図３は、図２に示す記憶部１１０の構成を詳しく示す説明図である。
【００１４】
紙幣入出金機１０は、自由なアクセスが許される金庫外領域１００と内部へのアクセスが制限される金庫領域２００との２つの領域を有する。金庫外領域１００には、ＣＰＵ１０２と記憶部１１０と通信インターフェース１４０と入力インターフェース１４２と入出金用操作パネル１４４と保守用操作パネル１４６とネットワークインターフェース１４８と紙幣入出金部１６０と紙幣識別部１６２と紙幣一時保留箱１６４と紙幣搬送機１６６と通信ケーブル１６８とバス１７０とが備えられている。金庫領域２００には、ＣＰＵ２０２と記憶部２１０と通信インターフェース２４０と入力インターフェース２４２と搬送制限解除スイッチ２４４と紙幣カセット２６０と紙幣収納箱２６２と紙幣搬送機１６６とバス２７０と金庫２８０とが備えられている。
【００１５】
ＣＰＵ１０２は、紙幣入出金機１０の全体の動作を制御する中央処理装置である。記憶部１１０は、ＯＳ１１２とデバイスドライバ１１４とアプリケーションプログラム１１６とを記憶する。ＯＳ１１２は、アプリケーションプログラム１１６の実行を管理する基本プログラムである。デバイスドライバ１１４は、周辺機器を動作させるためのプログラムをいう。記憶部１１０は、デバイスドライバ１１４として、例えば、通信インターフェース１４０、入力インターフェース１４２、ネットワークインターフェース１４８のインターフェース用のデバイスドライバ１１８、１２０、１２２を記憶している。アプリケーションプログラム１１６は、紙幣入出金機１０の機能を実現するための応用プログラムをいう。記憶部１１０は、アプリケーションプログラム１１６として、例えば、紙幣入出金機１０の動作を実行・管理するメインプログラム１２４、紙幣の真贋および額面を判別するための紙幣識別プログラム１２６、紙幣搬送機１６６を動作させるための紙幣搬送プログラム１２８、金庫領域２００の中から金庫外領域１００への紙幣の搬送を制限するための搬送制限プログラム１３０、搬送制限プログラム１３０による紙幣の搬送の制限について、搬送制限解除スイッチ２４４による解除を無効化するための搬送制限解除無効化プログラム１３２、通信インターフェース１４０、２４０の間を通信するための通信プログラム１３４を記憶している。なお、ＯＳ１１２、デバイスドライバ１１４、アプリケーションプログラム１１６は便宜上区分しているもので、どのプログラムをどの区分に属させるかは形式的なものである。記憶部１１０は、また、識別した額面の値を記憶するなどデータを一時記憶するためのＲＡＭ１３６を備える。
【００１６】
通信インターフェース１４０は、金庫領域２００のＣＰＵ２０２と通信を行うためのインターフェースである。入力インターフェース１４２は、入出金用操作パネル１４４および保守用操作パネル１４６を接続するためのインターフェースである。
【００１７】
入出金用操作パネル１４４は、通常動作モード時に操作者が紙幣入出金機１０を操作するためのパネルである。保守用操作パネル１４６は保守モード時に保守員が紙幣入出金機１０の動作確認のために操作するパネルである。保守用操作パネル１４６には、例えば、センサのレベル確認、アクチュエータの動作確認、現金の入金／返却取引テスト、入金／収納取引テスト、出金テストなどの保守作業に必要な動作を実行するための操作スイッチが備えられている。保守モード時には、保守用操作パネル１４６が操作されることにより、紙幣入出金機の動作が実行される。ただし、入金／収納取引テスト、出金テストなどの紙幣カセット２６０と紙幣収納箱２６２の紙幣に影響を与える動作を含む動作については、後述する搬送制限解除スイッチ２４４により紙幣の搬送制限が解除されなければ、実行されない。
【００１８】
ネットワークインターフェース１４８は、管理サーバ２０と通信を行うためのインターフェースである。なお、管理サーバ２０とは、紙幣入出金機１０を管理している上位のコンピュータである。
【００１９】
紙幣入出金部１６０は、紙幣が入金されたり、出金されたりする入出金口である。紙幣識別部１６２は紙幣の真贋を判別し、額面を読み取る識別装置である。紙幣一時保留箱１６４は、紙幣の額面を識別した後、入金を行うか、あるいは、入金をキャンセルするかについて、操作者の判断が入力されるまでの間、紙幣を一時的に保留するための箱である。
【００２０】
紙幣搬送機１６６は、紙幣入出金部１６０と紙幣識別部１６２と紙幣一時保留箱１６４と紙幣カセット２６０と紙幣収納箱２６２の間で紙幣の搬送を行う搬送装置である。通信ケーブル１６８は、金庫外領域１００の通信インターフェース１４０と金庫領域２００の通信インターフェース２４０との間を結ぶ通信用のケーブルである。
【００２１】
バス１７０は、例えば、ＣＰＵ１０２と記憶部１１０と通信インターフェース１４０と入力インターフェース１４２とネットワークインターフェース１４８と紙幣入出金部１６０と紙幣識別部１６２との間で信号のやり取りを行う伝送路である。
【００２２】
ＣＰＵ２０２は、金庫領域２００の動作を制御する制御装置である。記憶部２１０は、ＯＳとデバイスドライバとアプリケーションプログラムとを記憶する。記憶部２１０は、デバイスドライバとして、例えば、通信インターフェース２４０、入力インターフェース２４２用のデバイスドライバを記憶している。記憶部２１０は、アプリケーションプログラムとして、例えば、金庫外領域１００のＣＰＵ１０２と通信を行うための通信プログラムを記憶している。
【００２３】
通信インターフェース２４０は、金庫外領域１００のＣＰＵ１０２と通信を行うためのインターフェースである。入力インターフェース２４２は、搬送制限解除スイッチ２４４を接続するためのインターフェースである。搬送制限解除スイッチ２４４は、保守モード時に動作が制限されている金庫２８０内から金庫２８０外への紙幣の搬送について、搬送制限を解除するためのスイッチである。
【００２４】
紙幣カセット２６０と紙幣収納箱２６２は、いずれも紙幣を収納する箱である。紙幣カセット２６０は、通常複数あり、それぞれの紙幣カセット２６０には紙幣カセット２６０ごとに同じ額面の紙幣が収納される。また、紙幣カセット２６０は、入金時には紙幣を収納し、出金時には紙幣を供給する環流型の箱である。一方、紙幣収納箱２６２には、異なる額の紙幣が収納される。また、紙幣収納箱２６２は、紙幣を収納する機能のみを有する箱である。なお、紙幣カセット２６０は、入金時に紙幣を収納しないで、出金時にのみ紙幣を供給する供給専用の箱としてもよい。
【００２５】
バス２７０は、ＣＰＵ２０２と記憶部２１０と通信インターフェース２４０と入力インターフェース２４２との間で信号のやり取りを行う伝送路である。
【００２６】
金庫２８０は、金庫領域２００を囲う、例えば鉄製の箱である。金庫２８０には、扉２８２と扉２８２を閉じるための錠２８４と紙幣搬送機１６６が通る穴部２８６とが設けられている。錠２８４の鍵は通常行員が持っており、保守員は、行員に錠２８４を開けてもらわない限り金庫２８０内にアクセスすることはできない。金庫２８０の内部には、ＣＰＵ２０２と記憶部２１０と通信インターフェース２４０と入力インターフェース２４２と搬送制限解除スイッチ２４４と紙幣カセット２６０と紙幣収納箱２６２とが配置される。
【００２７】
図４および図５を用いて本実施例に係る紙幣入出金機１０の通常モード時の動作について簡単に説明する。図４は、本実施例に係る紙幣入出金機１０の入金時の動作を示すフローチャートである。図５は、本実施例に係る紙幣入出金機１０の出金時の動作を示すフローチャートである。
【００２８】
まず入金時の動作について説明する。ＣＰＵ１０２は、入出金用操作パネル１４４上の入金ボタンの押下を検知すると（ステップＳ１００）、紙幣入出金部１６０の扉を開けて紙幣の挿入を待機する（ステップＳ１０５）。ＣＰＵ１０２は、入出金用操作パネル１４４上の計算ボタンの押下を検知すると（ステップＳ１１０）、紙幣入出金部１６０の扉を閉め、紙幣搬送プログラム１２８を実行して紙幣搬送機１６６を動作させて、紙幣を紙幣識別部１６２に送る（ステップＳ１１５）。ここで、ＣＰＵ１０２は、例えば、紙幣入出金部１６０への紙幣の挿入を検知して紙幣入出金部１６０の扉を閉めるようにしてもよい。
【００２９】
ＣＰＵ１０２は、紙幣識別プログラム１２６を実行して紙幣識別部１６２で読み取った画像データから額面を識別する（ステップＳ１２０）。ＣＰＵ１０２は、識別は、例えば、読み取った紙幣の画像データをあらかじめ記憶部１１０に記憶させてある照合用の画像データと比較することにより行われる。ＣＰＵ１０２は、額面を識別できた紙幣については（ステップＳ１２５、Ｙ）、紙幣一時保留箱１６４に送る（ステップＳ１３０）。一方、ＣＰＵ１０２は、額面を識別判別できなかった紙幣については（ステップＳ１２５、Ｎ）、紙幣入出金部１６０に送る（ステップＳ１３５）。ＣＰＵ１０２は紙幣入出金部１６０に投入された全ての紙幣について額面を識別した後、それまでに識別した紙幣の額面の合計を、入出金用操作パネル１４４に表示する（ステップＳ１４０）。ＣＰＵ１０２は、さらに、額面を識別できなかった紙幣があった場合には、当該紙幣を返却するため、紙幣入出金部１６０の扉を開ける。ＣＰＵ１０２は、入出金用操作パネル１４４上の確認ボタン、再計算ボタン、キャンセルボタンのいずれかが押下されるのを待機する。
【００３０】
ＣＰＵ１０２は、確認ボタンの押下を検知すると（ステップＳ１４５、Ｙ）、紙幣一時保留箱１６４に保留されていた紙幣を、紙幣識別部１６２に送る。ＣＰＵ１０２は、もう一度、紙幣識別部１６２に紙幣の額面を識別し（ステップＳ１５０）、識別した紙幣の額面に応じて、紙幣カセット２６０あるいは紙幣収納箱２６２に収納する（ステップＳ１５５）。ＣＰＵ１０２は、再度の紙幣の額面の識別ができなかった場合には、当該紙幣を紙幣収納箱２６２に収納する。
【００３１】
ＣＰＵ１０２は、再計算ボタンの押下を検知すると（ステップＳ１６０、Ｙ）、紙幣入出金部１６０の扉を閉め、紙幣入出金部１６０に挿入されている紙幣および紙幣一時保留箱１６４に保留されている紙幣を、紙幣識別部１６２に送る（ステップＳ１１５）。ＣＰＵ１０２は、以下、ステップＳ１１５からステップＳ１４０のステップを繰り返す。
【００３２】
ＣＰＵ１０２は、キャンセルボタンの押下を検知した場合には（ステップＳ１６５、Ｙ）、一旦、紙幣入出金部１６０の扉を閉める。ＣＰＵ１０２は、紙幣一時保留箱１６４に保留されていた紙幣を、紙幣入出金部１６０に送り、紙幣入出金部１６０の扉を開けて返金する（ステップＳ１７０）。ＣＰＵ１０２は、紙幣入出金部１６０からの紙幣の取り出しを検知すると、紙幣入出金部１６０の扉を閉じる。
【００３３】
出金時の動作について説明する。ＣＰＵ１０２は、入出金用操作パネル１４４で、例えば、出金ボタンが押下を検知すると（ステップＳ２００）、必要な紙幣の額面と枚数を計算する（ステップＳ２０５）。ＣＰＵ１０２は、紙幣カセット２６０に収納されている紙幣を紙幣識別部１６２に送り（ステップＳ２１０）、紙幣の額面を識別させる（ステップＳ２１５）。
【００３４】
ＣＰＵ１０２は、紙幣の額面が正しく確認できた場合には（ステップＳ２２０、Ｙ）、紙幣を紙幣入出金部１６０に送る（ステップＳ２２５）。一方、ＣＰＵ１０２は、紙幣の額面を確認できなかった場合には（ステップＳ２２０、Ｎ）、紙幣を紙幣収納箱２６２に送る（ステップＳ２３０）。
【００３５】
ＣＰＵ１０２は、新たな紙幣を紙幣カセット２６０から紙幣識別部１６２に送り同様にして紙幣の額面を確認する（ステップＳ２１０）。ＣＰＵ１０２は、以下、出金する全ての紙幣を紙幣入出金部１６０に送るまで、同様の動作を繰り返す（ステップＳ２１０〜ステップ２３５）。ＣＰＵ１０２は、紙幣入出金部１６０の扉を開ける（ステップＳ２４０）。ＣＰＵ１０２は、紙幣入出金部１６０からの紙幣の取り出しを検知すると（ステップＳ２４５、Ｙ）、紙幣入出金部１６０の扉を閉じる（ステップＳ２５０）。
【００３６】
次に、図６、図７を用いて保守時の動作について説明する。図６は保守時の搬送動作以外の動作を確認する場合の動作フローチャートを示す説明図である。図７は、保守時の搬送動作を確認する場合の動作フローチャートを示す説明図である。
【００３７】
まず、保守時の搬送動作以外の動作を確認する場合について説明する。ＣＰＵ１０２は、例えば保守用操作パネル１４６上に設けられている動作モード切り替えスイッチが保守モードに切り替えられたことを検知すると、紙幣入出金機１０の動作モードを保守モードに切り替えるとともに（ステップＳ３００）、搬送制限プログラム１３０を実行し、紙幣の搬送を制限する。ＣＰＵ１０２は、保守用操作パネル１４６から動作の指示が入力されるのを待つ。
【００３８】
ＣＰＵ１０２は、保守用操作パネル１４６に動作の指示が入力されると、指示された動作を実行して動作を確認する（ステップＳ３０５）。指示された動作が、実行の制限がされている金庫２８０の内から外への紙幣の搬送を行う動作の場合には、搬送制限プログラム１３０が実行されているため、ＣＰＵ１０２は紙幣の搬送動作を実行することはできない。なお、搬送制限プログラム１３０が実行している場合には、搬送動作に関する動作指示を入力できないようにしてもよい。ＣＰＵ１０２は次の動作の指示が入力されるのを待つ（ステップＳ３１０）。ＣＰＵ１０２は、次に動作の指示が入力された場合には（ステップＳ３１０、Ｙ）、指示された動作を実行する（ステップＳ３０５）。なお、指示された動作が実行の制限がされている金庫２８０の内から外への紙幣の搬送を行う動作の場合には、搬送制限プログラム１３０が実行されているため、ＣＰＵ１０２は当該動作を実行することはできないのは同様である。ＣＰＵ１０２は、別の動作の確認をせず（ステップＳ３１０、Ｎ）、保守モードを終了するために動作モード切り替えスイッチが通常モードに切り替えられた場合には、搬送制限プログラム１３０を停止し、動作モードを保守モードから通常モードに切り替える（ステップＳ３１５）。
【００３９】
次に、保守時の搬送動作を確認する場合について説明する。ＣＰＵ１０２は、例えば保守用操作パネル１４６上に設けられている動作モード切り替えスイッチが保守モードに切り替えられたことを検知すると、紙幣入出金機１０の動作モードを保守モードに切り替える（ステップＳ４００）。ＣＰＵ１０２は、保守モードになると、搬送制限プログラム１３０を実行し、紙幣の搬送を制限する。
【００４０】
一方、ＣＰＵ２０２は、金庫２８０の扉２８２の錠２８４が開けられ（ステップＳ４０５）、搬送制限解除スイッチ２４４が、搬送動作の制限の解除に切り替えられたことを検知すると（ステップＳ４１０）、通信プログラムを実行して、通信インターフェース２４０、１４０を介して、ＣＰＵ１０２に対して解除コマンドを送信する（ステップＳ４１５）。搬送制限の解除の信号はコマンドにより伝えられるため、例えば配線の電位により搬送制限の解除を実行する場合と比較すると、通信ケーブル１６８からの通信信号の解読は困難であり、通信信号の偽造も困難である。したがって、コマンドで搬送制限の解除信号を送信することにより、搬送制限の解除に対する安全性を高めることができる。
【００４１】
ＣＰＵ１０２は、管理サーバ２０からの搬送動作の制限解除の無効指示があるか判断する（ステップＳ４２０）。例えば、ＣＰＵ１０２は、管理サーバ２０から搬送動作の制限解除の無効指示がある場合には（ステップＳ４２０、有）、搬送制限解除無効化プログラム１３２を実行する。ＣＰＵ１０２は、例えば、搬送制限解除無効化プログラム１３２が実行している場合には、紙幣の搬送制限の解除コマンドを受信しても、搬送制限プログラム１３０の実行を停止しないで、紙幣の搬送制限を維持する（ステップＳ４２５）。その結果、ＣＰＵ１０２は、紙幣の搬送動作を実行できない（ステップＳ４３０）。すなわち、管理サーバから、紙幣の搬送動作の制限を維持することが可能となる。
【００４２】
ここで、ＣＰＵ１０２は、搬送制限解除無効化プログラム１３２が実行している場合には、紙幣の搬送制限の解除コマンドを受信しても、搬送制限プログラム１３０の実行を停止しないで、紙幣の搬送制限を維持するのではなく、例えば、通信プログラム１３４を停止し、ＣＰＵ２０２からの解除コマンドを受信できないようにしてもよい。ＣＰＵ１０２は、解除コマンドを受信できなければ、搬送制限を解除できないからである。ここで、通信プログラム１３４は、管理サーバ２０からの指示がない限り紙幣入出金機１０の起動と同時に起動している。また、搬送制限解除無効化プログラム１３２が実行している場合には、例えば、ＣＰＵ２０２は、解除コマンドを暗号化し、通信インターフェース２４０、１４０を介して、ＣＰＵ１０２に送るようにし、一方、ＣＰＵ１０２は、搬送制限解除無効化プログラム１３２が実行している場合には、解除コマンドの解読を実行できないように構成してもよい。ＣＰＵ１０２は、解除コマンドを解読できなければ、解除コマンドを実行することはないからである。したがって、紙幣の搬送制限の解除をコマンドで送受信することにより、例えば、コマンド自体を暗号化することも可能となり、通信信号の解読、偽造をより困難にすることができる。
【００４３】
ＣＰＵ１０２は、管理サーバ２０から搬送動作の制限解除の無効指示がない場合であって（ステップＳ４２０、無）、ＣＰＵ２０２から搬送動作の制限の解除コマンドを受信した場合には（ステップＳ４３５）、搬送制限プログラム１３０の実行を停止し、紙幣の搬送制限を解除する（ステップＳ４４０）。その結果、ＣＰＵ１０２は、紙幣の搬送動作を実行できるようになり、当該動作について動作の確認を実行できる（ステップＳ４４５）
【００４４】
ＣＰＵ２０２は、搬送制限解除スイッチの搬送制限への切り替えを検知した場合には（ステップＳ４５０）、ＣＰＵ１０２に対して搬送制限解除スイッチが搬送制限に切り替えられたことをコマンドで送信する。ＣＰＵ１０２は、搬送制限解除スイッチ２４４が搬送制限に切り替えられたことを受信した場合には（ステップＳ４５０）、搬送制限プログラム１３０を実行する。
【００４５】
ＣＰＵ１０２は、保守用操作パネル１４６の動作モード切り替えスイッチが通常モードに切り替えられたことを検知すると、紙幣入出金機１０の動作モードを通常モードに切り替え（ステップＳ４５５）、搬送制限プログラム１３０の実行を停止する。
【００４６】
ＣＰＵ１０２は、搬送制限解除スイッチ２４４が搬送制限に切り替えられたことを受信することなく動作モードが通常モードに切り替えられたことを検知した場合には、通信インターフェース１４０、２４０を介して、通常モードへの切り替えをＣＰＵ２０２に伝える。ＣＰＵ２０２は、通常モードへの切り替えの通知を受けると、搬送制限解除スイッチ２４４を、搬送制限に切り替える（ステップＳ４６０）。これにより、行員が搬送制限解除スイッチ２４４を元の状態、すなわち、搬送制限状態に切り替え忘れた場合でも、次回の保守時において、保守モードへの切り替えを行った時に、搬送制限解除スイッチ２４４がデフォルトで搬送制限の解除状態になっていることはなくなる。なお、搬送制限解除スイッチ２４４が搬送制限に切り替えることなく動作モードを通常モードへの切り替えを実行した場合、搬送制限プログラム１３０が一旦実行されることがないという利点もある。したがって、本実施例によれば、保守を終了する場合には、搬送制限解除スイッチ２４４を搬送制限に切り替えることなく保守モードを終了してもよく、搬送制限が解除状態になるという問題は生じない。
【００４７】
以上説明したように、本実施例によれば、紙幣入出金機１０は、保守員が自由にアクセスできる金庫外領域１００と保守員の自由なアクセスが制限される金庫領域２００とを有する。保守時には、搬送制限プログラム１３０が実行されるため、紙幣の搬送が制限される。したがって、本実施例によれば、保守時に紙幣を入手することを抑制できる。
【００４８】
本実施例によれば、制限される搬送は、金庫領域２００の中から金庫外領域１００への、すなわち、金庫２８０の内から外への紙葉類の搬送である。したがって、金庫２８０内にある紙幣を入手することを抑制できる。
【００４９】
本実施例によれば、紙幣入出金機１０は、さらに、金庫領域２００内に配置され、紙幣の搬送制限を解除するための搬送制限解除スイッチ２４４と、ＣＰＵ２０２とＣＰＵ１０２との間で搬送制限を解除するためのコマンドを伝える通信インターフェースを備える。本実施例に係る紙幣入出金機１０によれば、行員は、保守員が紙幣の搬送を伴う動作について保守作業を行う場合にのみ立ち会って金庫２８０内にアクセスし搬送制限を解除すればよく、保守員が紙幣の搬送を伴わない保守作業を行う場合には立ち会う必要がないので、行員の負担を軽減できる。
【００５０】
本実施例によれば、ＣＰＵ２０２からＣＰＵ１０２への通信は、コマンドの送受信により行われる。コマンドによる通信は、配線の電位による通信と比較して、解読が困難であり、偽造も困難である。したがって、知識のある保守員であっても、例えば作為的に通信ケーブル１６８の電位を操作して、紙幣の搬送制限を解除することは困難である。その結果、保守時に金庫２８０内にある紙幣を入手することを抑制できる。また、コマンドは容易に暗号化できるので、例えば、コマンドの暗号化により、通信信号の解読、偽造をより困難にできる。
【００５１】
本実施例によれば、ＣＰＵ１０２は、保守終了時に、搬送制限解除スイッチ２４４を搬送制限にセットする。したがって、例えば、行員が搬送制限の解除を制限状態に切り替えることを忘れた場合においても、保守終了後には、搬送制限にセットされる。したがって、次回の保守時にはデフォルトで搬送制限状態になっているため、保守時に金庫２８０内から現金を入手することに対する安全性が高まる。また、本実施例によれば、保守モードを終了する場合に搬送制限の解除を制限状態に切り替える操作を行う必要がなくなる。
【００５２】
本実施例によれば、さらに、搬送制限解除スイッチ２４４による搬送制限の解除を無効とする搬送制限解除無効化プログラム１３２を備える。搬送制限解除無効化プログラム１３２が起動している場合には、搬送制限解除スイッチ２４４を操作して搬送制限を解除しようとしても搬送制限は維持される。その結果、例えば、行員が立ち会いできない状況で保守員が金庫領域２００にアクセスして搬送制限解除スイッチ２４４を操作できる状況が生じても、搬送制限の解除を抑制できる。したがって、保守時に金庫２８０内から現金を入手することに対する安全性を高めることができる。
【００５３】
本実施例によれば、さらに、紙幣入出金機１０を管理する管理サーバ２０と通信するためのネットワークインターフェース１４８を備え、搬送制限解除無効化プログラム１３２は、管理サーバ２０からの命令に基づいて起動する。したがって、本実施例に係る紙幣入出金機１０によれば、搬送制限を解除するためには、管理サーバ２０からの命令により搬送制限の解除が有効にされている状況で、さらに、搬送制限解除スイッチ２４４により搬送制限が解除される必要がある。したがって、例えば、保守員が金庫領域２００にアクセスして解除手段を操作できる状況になっても、管理サーバ２０からの制御により搬送制限の解除を抑制できる。その結果、保守時に金庫２８０内から現金を入手することに対する安全性を高めることができる。
【００５４】
本実施例では、紙幣入出金機１０を例にとり、説明したが、紙幣入出金機１０の態様のほか、紙幣入出金機１０と管理サーバ２０とからなる紙幣入出金管理システムの態様など様々な態様で実施が可能である。
【００５５】
本実施例では、搬送制限解除スイッチ２４４は、制限されている搬送動作について設定をすることにより搬送制限プログラム１３０を起動して搬送動作を制限しているが、搬送制限解除スイッチ２４４と搬送制限プログラム１３０ではなく、搬送実行スイッチと搬送プログラムとして、搬送実行スイッチが入れられた時に搬送プログラムを実行して紙幣を搬送できるように構成してもよいのはいうまでもない。
【００５６】
本実施例では、管理サーバ２０からの命令により、搬送制限解除無効化プログラム１３２の実行を制御しているとして説明したが、紙幣入出金機１０に搬送制限解除無効化プログラム１３２の実行についての制御スイッチを備えてもよい。これにより、管理サーバ２０がない場合でも、紙幣の搬送制限の解除を抑制できる。また、管理サーバ２０からの命令により、例えば、保守用操作パネル１４６上での紙幣搬送のための操作を受け付けないように制限してもよい。これにより、搬送制限解除スイッチ２４４により紙幣の搬送制限を解除しても、紙幣の搬送を制限できる。
【００５７】
本実施例では、金庫２８０の中に搬送制限解除スイッチ２４４を備えているとして説明したが、例えば、金庫２８０の扉２８２の開閉を検知する手段を備え、搬送制限解除スイッチ２４４の代わりに用いてもよい。例えば、ＣＰＵ１０２は、保守モード時に、扉２８２が開いたことを検知した場合には紙幣の搬送制限を解除し、扉２８２が閉じたことを検知した場合には、紙幣の搬送を制限する、としてもよい。保守作業後には、通常、金庫２８０の扉２８２を閉めるので、搬送制限状態へのスイッチの戻し忘れを抑制できる。
【００５８】
本実施例では、搬送制限解除スイッチ２４４により、紙幣搬送プログラム１２８などプログラムの実行の可否を制御するものとして説明したが、例えば、搬送制限解除スイッチ２４４により、保守用操作パネルの操作スイッチの制御など、ハードウエアを制御してもよいことはいうまでもない。
【００５９】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【図面の簡単な説明】
【００６０】
【図１】本実施例に係る紙幣入出金機を模式的に示す説明図。
【図２】本実施例に係る紙幣入出金機のブロック図。
【図３】図２に示す記憶部の構成を詳しく示す説明図。
【図４】本実施例に係る紙幣入出金機の入金時の動作を示すフローチャート。
【図５】本実施例に係る紙幣入出金機の出金時の動作を示すフローチャート。
【図６】保守時の搬送動作以外の動作を確認する場合の動作フローチャートを示す説明図。
【図７】保守時の搬送動作を確認する場合の動作フローチャートを示す説明図。
【符号の説明】
【００６１】
１０…紙幣入出金機
２０…管理サーバ
１００…金庫外領域
１０２…ＣＰＵ
１１０…記憶部
１１２…ＯＳ
１１４…デバイスドライバ
１１６…アプリケーションプログラム
１１８…通信インターフェースドライバ
１２０…入力インターフェースドライバ
１２２…ネットワークインターフェースドライバ
１２４…メインプログラム
１２６…紙幣識別プログラム
１２８…紙幣搬送プログラム
１３０…搬送制限プログラム
１３２…搬送制限解除無効化プログラム
１３４…通信プログラム
１３６…ＲＡＭ
１４０…通信インターフェース
１４２…入力インターフェース
１４４…入出金用操作パネル
１４６…保守用操作パネル
１４８…ネットワークインターフェース
１６０…紙幣入出金部
１６２…紙幣識別部
１６４…紙幣一時保留箱
１６６…紙幣搬送機
１６８…通信ケーブル
１７０…バス
２００…金庫領域
２０２…ＣＰＵ
２１０…記憶部
２４０…通信インターフェース
２４２…入力インターフェース
２４４…搬送制限解除スイッチ
２６０…紙幣カセット
２６２…紙幣収納箱
２７０…バス
２８０…金庫
２８２…扉
２８４…錠
２８６…穴部
【図１】
2008077318.tif 000003
【図２】
2008077318.tif 000004
【図３】
2008077318.tif 000005
【図４】
2008077318.tif 000006
【図５】
2008077318.tif 000007
【図６】
2008077318.tif 000008
【図７】
2008077318.tif 000009